(57)【要約】【課題】手摺子と手摺用長尺部材との接合部を補強でき、手摺用長尺部材の下面と手摺部材の下面との間に段差が生じるのを防止でき、さらに、現場における施工性を高めることのできる、階段用手摺および手摺用長尺部材を提供する。【解決手段】階段用手摺１０は、階段１２の側部に前記階段１２の傾斜方向へ所定間隔を隔てて立設され、上端面が所定角度で傾斜して形成された複数の手摺子１４と、複数の手摺子１４の上端部に架け渡された棒状の手摺用長尺部材１６と、手摺用長尺部材１６の上面に取り付けられた棒状の手摺部材１８とを備えており、手摺用長尺部材１６の下面には、複数の手摺子１４の上端部を収容する複数の手摺子収容溝２０が長手方向へ間隔を隔てて幅方向全長に亘って形成されており、手摺部材１８の下面には、手摺用長尺部材１６を収容する長尺部材収容溝２２が長手方向全長に亘って形成されている。【選択図】図２
2008013975.tif 000002
【特許請求の範囲】
【請求項１】
階段の側部に前記階段の傾斜方向へ所定間隔を隔てて立設され、上端面が所定角度で傾斜して形成された複数の手摺子と、前記複数の手摺子の上端部に架け渡された棒状の手摺用長尺部材と、前記手摺用長尺部材の上面に接合された棒状の手摺部材とを備える階段用手摺であって、
前記手摺用長尺部材の下面には、前記複数の手摺子の上端部を収容する複数の手摺子収容溝が長手方向へ間隔を隔てて幅方向全長に亘って形成されており、前記手摺部材の下面には、前記手摺用長尺部材を収容する長尺部材収容溝が長手方向全長に亘って形成されている、階段用手摺。
【請求項２】
前記手摺用長尺部材の前記手摺子収容溝は、前記手摺子の上端面に当接される手摺子当接面と、前記手摺用長尺部材の傾斜方向上側において、前記手摺子の側面に対向して配置される上側内側面と、前記手摺用長尺部材の傾斜方向下側において、前記手摺子の側面に対向して配置される下側内側面とによって凹状に構成されており、前記上側内側面と前記手摺子の側面との間隔は、前記手摺子収容溝の開口側端部において最も狭くなり、かつ、前記開口側端部から奥側へ向かうにつれて広くなっている、請求項１記載の階段用手摺。
【請求項３】
前記下側内側面と前記手摺子の側面との間隔は、前記手摺子収容溝の開口側端部において最も狭くなり、かつ、前記開口側端部から奥側へ向かうにつれて広くなっている、請求項２記載の階段用手摺。
【請求項４】
前記手摺部材における前記長尺部材収容溝の幅は、開口側端部から奥側へ向かうにつれて広くなっている、請求項１ないし３のいずれかに記載の階段用手摺。
【請求項５】
階段の側部に立設された複数の手摺子と前記手摺子の上端部で支持される棒状の手摺部材との間に配設される、手摺用長尺部材であって、
前記複数の手摺子の上端部に架け渡される棒状の長尺部材本体を有しており、
前記長尺部材本体の下面には、前記複数の手摺子の上端部を収容する複数の手摺子収容溝が長手方向へ間隔を隔てて幅方向全長に亘って形成されており、
前記長尺部材本体の上面に前記手摺部材が接合される、手摺用長尺部材。
【発明の詳細な説明】
【技術分野】
【０００１】
本発明は、住宅またはマンション等の建築物の階段に適用される階段用手摺および手摺用長尺部材に関する。
【背景技術】
【０００２】
階段用手摺は、階段を昇降する歩行者の安全を確保することを目的として、階段の側部に設けられるものであり、階段の側方に壁がない場合、すなわち階段の側方が開放されている場合には、「落下防止柵」として機能する手摺子を備える階段用手摺が用いられることになる。
【０００３】
特許文献１に開示された階段用手摺１は、図１３に示すように、階段２の側部に立設される複数の手摺子３と、手摺子３の上端部に架け渡される帯板状の長尺部材４と、長尺部材４の上面に接合される棒状の手摺部材５とによって構成されており、手摺子３の上端面は、階段の傾斜角度とほぼ同じ角度で傾斜して形成されており、手摺部材５の下面には、長尺部材４を収容する長尺部材収容溝５ａが形成されている。そして、階段用手摺１を施工する際には、まず、階段２の側部に複数の手摺子３が所定の間隔を隔てて立設され、続いて、手摺子３の上端面に長尺部材４がビス６によって接合され、その後、長尺部材４に手摺部材５の長尺部材収容溝５ａが嵌合されるとともに、手摺部材５が長尺部材４に接合される。なお、図１３（Ａ）は、手摺部材５を長尺部材４から分離した状態を示す分解正面図であり、図１３（Ｂ）は、手摺部材５を長尺部材４に接合した状態を示す正面図である。
【０００４】
一方、特許文献２に開示された階段用手摺１は、図１４に示すように、階段２の側部に立設される複数の手摺子３と、手摺子３の上端部に架け渡される棒状の長尺部材４と、長尺部材４の上面に接合される棒状の手摺部材５とによって構成されており、手摺子３の上端面には、円柱状の突部３ａが形成されており、長尺部材４の下面には、突部３ａが嵌合される円形穴４ａが形成されている。また、手摺部材５の下面には、長尺部材４を収容する長尺部材収容溝５ａが形成されている。そして、階段用手摺１を施工する際には、まず、階段２の側部に複数の手摺子３が所定の間隔を隔てて立設され、続いて、手摺子３の上端面に長尺部材４が接合され、その後、長尺部材４に手摺部材５の長尺部材収容溝５ａが嵌合されるとともに、手摺部材５が長尺部材４に接合される。
【特許文献１】特開平７−４２３３３号（図４）
【特許文献２】特許第２７０８２０８号（第５図）
【発明の開示】
【発明が解決しようとする課題】
【０００５】
特許文献１に開示された階段用手摺１（図１３）では、手摺子３の上端面に長尺部材４の下面が当接され、その状態で手摺子３と長尺部材４とがビス６によって接合されている。したがって、長尺部材収容溝５ａの深さが長尺部材４の厚さと同じか、それよりも浅ければ、手摺子３と長尺部材４との接合部を長尺部材収容溝５ａの内面で十分に補強することができず、手摺部材５に加わる衝撃によって接合部が破損されるおそれがあった。一方、接合部を補強するために長尺部材収容溝５ａの深さを長尺部材４の厚さよりも十分に深くすると、長尺部材４の下面と手摺部材５の下面との間に大きな段差が生じるため、見栄えが悪くなるおそれがあった。
【０００６】
この点、特許文献２に開示された階段用手摺１（図１４）では、手摺子３の突部３ａが長尺部材４の円形穴４ａに嵌合されるので、特許文献１に開示された階段用手摺１（図１３）の問題、すなわち「強度」と「見栄え」の問題を解消することができる。しかしながら、特許文献２の階段用手摺１では、階段２の傾斜角度に応じて円形穴４ａの形成角度が設定されるため、１つの長尺部材４を傾斜角度が異なる複数種類の階段２に適用することができないという問題があった。
【０００７】
それゆえに、本発明の主たる解決課題は、手摺子と手摺用長尺部材との接合部を補強できるとともに、手摺用長尺部材の下面と手摺部材の下面との間に段差が生じるのを防止でき、さらに、傾斜角度が異なる複数種類の階段に適用することができる、階段用手摺および手摺用長尺部材を提供することである。
【課題を解決するための手段】
【０００８】
請求項１に記載した発明は、「階段１２の側部に前記階段１２の傾斜方向へ所定間隔を隔てて立設され、上端面が所定角度で傾斜して形成された複数の手摺子１４と、前記複数の手摺子１４の上端部に架け渡された棒状の手摺用長尺部材１６と、前記手摺用長尺部材１６の上面に接合された棒状の手摺部材１８とを備える階段用手摺１０であって、前記手摺用長尺部材１６の下面には、前記複数の手摺子１４の上端部を収容する複数の手摺子収容溝２０が長手方向へ間隔を隔てて幅方向全長に亘って形成されており、前記手摺部材１８の下面には、前記手摺用長尺部材１６を収容する長尺部材収容溝２２が長手方向全長に亘って形成されている、階段用手摺１０」である。
【０００９】
この発明では、手摺用長尺部材１６の下面に複数の手摺子収容溝２０が幅方向全長に亘って形成されており、各手摺子収容溝２０に手摺子１４の上端部が収容されるので、手摺子１４と手摺用長尺部材１６との嵌合構造によって、これらの接合部に十分な強度を持たせることができる。したがって、手摺部材１８における長尺部材収容溝２２の深さと手摺用長尺部材１６の厚さとをほぼ同じに設定することが可能となり、手摺用長尺部材１６の下面と手摺部材１８の下面との間に大きな段差が生じるのを防止できる。また、手摺用長尺部材１６の幅方向全長に亘って形成された手摺子収容溝２０は、従来の円形穴４ａ（図１４）に比べて加工が容易なため、手摺用長尺部材１６の生産性を高めることができる。そして、手摺子収容溝２０における内側面の形状または傾斜角度等を適切に設定しておくことで、１つの手摺用長尺部材１６を傾斜角度が異なる複数種類の階段１２に適用することが可能となる。
【００１０】
請求項２に記載した発明は、請求項１に記載した「階段用手摺１０」において、「前記手摺用長尺部材１６の前記手摺子収容溝２０は、前記手摺子１４の上端面に当接される手摺子当接面２０ａと、前記手摺用長尺部材１６の傾斜方向上側において、前記手摺子１４の側面に対向して配置される上側内側面２０ｂと、前記手摺用長尺部材１６の傾斜方向下側において、前記手摺子１４の側面に対向して配置される下側内側面２０ｃとによって凹状に構成されており、前記上側内側面２０ｂと前記手摺子１４の側面との間隔は、前記手摺子収容溝２０の開口側端部において最も狭くなり、かつ、前記開口側端部から奥側へ向かうにつれて広くなっている」ことを特徴とする。
【００１１】
この発明では、手摺用長尺部材１６および手摺部材１８の傾斜角度（すなわち階段１２の傾斜角度α）をより急勾配に設定した場合でも、上側内側面２０ｂと手摺子１４の側面との隙間に手摺子１４の上端部を逃がすことができ、上側内側面２０ｂと手摺子１４の上端部とが位置的に干渉するのを防止できる。したがって、手摺子収容溝２０の開口側端部においては、手摺子収容溝２０の上側内側面２０ｂと手摺子１４の側面との間に生じる隙間の幅を傾斜角度の変更後も狭く保つことができ、見栄えの悪化を防止できる。
【００１２】
請求項３に記載した発明は、請求項２に記載した「階段用手摺１０」において、「前記下側内側面２０ｃと前記手摺子１４の側面との間隔は、前記手摺子収容溝２０の開口側端部において最も狭くなり、かつ、前記開口側端部から奥側へ向かうにつれて広くなっている」ことを特徴とする。
【００１３】
この発明では、手摺用長尺部材１６および手摺部材１８の傾斜角度、すなわち階段１２の傾斜角度αをより緩勾配に設定した場合でも、下側内側面２０ｃと手摺子１４の側面との隙間に手摺子１４の上端部を逃がすことができ、下側内側面２０ｃと手摺子１４の上端部とが位置的に干渉するのを防止できる。したがって、手摺子収容溝２０の開口側端部においては、手摺子収容溝２０の下側内側面２０ｃと手摺子１４の側面との間に生じる隙間の幅を傾斜角度の変更後も狭く保つことができ、見栄えの悪化を防止できる。
【００１４】
請求項４に記載した発明は、請求項１ないし３のいずれかに記載した「階段用手摺１０」において、「前記手摺部材１８における前記長尺部材収容溝２２の幅は、開口側端部から奥側へ向かうにつれて広くなっている」ことを特徴とする。
【００１５】
この発明によれば、長尺部材収容溝２２の幅が開口側端部から奥側へ向かうにつれて広くなっているので、長尺部材収容溝２２へ手摺用長尺部材１６を容易に収容することができる。
【００１６】
請求項５に記載した発明は、「階段１２の側部に立設された複数の手摺子１４と前記手摺子１４の上端部で支持される棒状の手摺部材１８との間に配設される、手摺用長尺部材１６であって、前記複数の手摺子１４の上端部に架け渡される棒状の長尺部材本体１６ａを有しており、前記長尺部材本体１６ａの下面には、前記複数の手摺子１４の上端部を収容する複数の手摺子収容溝２０が長手方向へ間隔を隔てて幅方向全長に亘って形成されており、前記長尺部材本体１６ａの上面に前記手摺部材１８が接合される、手摺用長尺部材１６」である。
【００１７】
この発明は、請求項１に記載した階段用手摺１０に用いられる手摺用長尺部材１６に関するものである。
【発明の効果】
【００１８】
請求項１〜５に記載した発明によれば、手摺子１４の上端部が手摺用長尺部材１６の手摺子収容溝２０に収容され、手摺用長尺部材１６が手摺部材１８の長尺部材収容溝２２に収容されるので、長尺部材収容溝２２の深さと手摺用長尺部材１６の厚さとをほぼ同じに設定した場合でも、手摺子１４と手摺用長尺部材１６との接合部に十分な強度を持たせることができる。したがって、手摺用長尺部材１６の下面と手摺部材１８の下面との間に生じる段差を、強度低下を招くことなく解消すること（または、小さくすること）が可能となり、段差による見栄えの悪化を防止できる。また、手摺子収容溝２０の加工が容易なため、生産性を高めることができる。さらに、手摺子収容溝２０における内側面２０ｂ，２０ｃの形状または傾斜角度等を予め所定形状または所定角度に設定しておき、手摺子の上端面の傾斜角度を階段１２の傾斜角度αに応じて適宜変更することで、１つの手摺用長尺部材１６を傾斜角度αが異なる複数種類の階段１２に適用することができる。
【００１９】
請求項２および３に記載した発明によれば、手摺子収容溝２０の内側面２０ｂ，２０ｃと手摺子１４の上端部とが位置的に干渉するのを防止できるので、手摺子収容溝２０の開口側端部においては、手摺子収容溝２０の内側面２０ｂ，２０ｃと手摺子１４の側面との間に生じる隙間の幅を傾斜角度αの変更後も狭く保つことができ、見栄えの悪化を防止できる。請求項４に記載した発明によれば、長尺部材収容溝２２へ手摺用長尺部材１６を容易に収容することができるので、現場における施工性を飛躍的に高めることができる。
【発明を実施するための最良の形態】
【００２０】
図１は、本発明が適用された階段用手摺１０を示す正面図であり、図２は、階段用手摺１０を示す正面分解図であり、図３は、図１におけるIII-III線断面図である。
【００２１】
階段用手摺１０（図１、図２、図３）は、住宅またはマンション等の建築物内において、階段１２の側部に取り付けられるものであり、階段１２の傾斜方向へ所定間隔を隔てて立設された複数の手摺子１４と、複数の手摺子１４の上端部に架け渡された棒状の手摺用長尺部材１６と、手摺用長尺部材１６の上面に取り付けられた棒状の手摺部材１８とによって構成されている。
【００２２】
階段１２(図１、図８)は、複数の踏板１２ａを段状に並べることによって構成されたものであり、踏板１２ａの少なくとも一方の端部には、図８に示すように、手摺子１４が取り付けられる取付穴１２ｂが形成されている。なお、一般的な階段１２の傾斜角度αは、２５〜５７度の範囲内で設定されている。
【００２３】
手摺子１４（図１、図８）は、手摺部材１８を所定の高さで支持する「支持機能」と、階段１２を昇降する歩行者の落下を防止する「落下防止機能」とを併有するものであり、図８に示すように、手摺子本体１４ａと、手摺子本体１４ａの下端面に突設された突部１４ｂとによって構成されている。
【００２４】
手摺子本体１４ａは、木質材等の一般的な材料によって形成された柱状部材であり、手摺子本体１４ａの「長さ」および「太さ」は、上述した「支持機能」と「落下防止機能」とを有効に発揮し得るように設定されている。そして、手摺子本体１４ａの上端面は、所定角度で傾斜して形成されている。つまり、手摺子本体１４ａの上端面は、階段１２の傾斜角度αとほぼ同じ角度で傾斜するように、水平面に対して傾斜角度αとほぼ同じ角度で傾斜して形成されている。なお、手摺子本体１４ａの形状は、特に限定されるものではないが、後述する手摺子収容溝２０に対する嵌合性を考慮すると、断面略四角形の角柱状に形成されることが望ましい。
【００２５】
突部１４ｂは、手摺子本体１４ａと同じ材料によってこれと一体に形成された突起状部分であり、突部１４ｂの「形状」、「長さ」および「太さ」は、踏板１２ａの取付穴１２ｂと嵌合可能なように設定されている。
【００２６】
手摺用長尺部材１６は、図４〜図６に示すように、木質材等によって形成された断面略四角形の棒状の長尺部材本体１６ａを有しており、長尺部材本体１６ａの下面には、手摺子１４の上端部を収容する複数の手摺子収容溝２０が長手方向へ間隔を隔てて幅方向全長に亘って形成されている。各手摺子収容溝２０は、手摺子１４の上端面に当接される手摺子当接面(底面)２０ａと、手摺用長尺部材１６の傾斜方向上側において手摺子１４の側面に対向して配置される上側内側面２０ｂと、手摺用長尺部材１６の傾斜方向下側において手摺子１４の側面に対向して配置される下側内側面２０ｃとによって凹状に構成されている。
【００２７】
そして、手摺子収容溝２０の手摺子当接面(底面)２０ａと上側内側面２０ｂとが成す角度βは、図６に示すように、手摺子１４の上側角部の角度γよりも小さく設定されており(β＜γ)、これにより、上側内側面２０ｂと手摺子１４の側面との間隔は、手摺子収容溝２０の開口側端部において最も狭くなり、かつ、開口側端部から奥側へ向かうにつれて広くなっている。一方、手摺子収容溝２０の手摺子当接面(底面)２０ａと下側内側面２０ｃとが成す角度δは、図６に示すように、手摺子１４の下側角部の角度εよりも小さく設定されており(δ＜ε)、これにより、下側内側面２０ｃと手摺子１４の側面との間隔は、手摺子収容溝２０の開口側端部において最も狭くなり、かつ、開口側端部から奥側へ向かうにつれて広くなっている。したがって、手摺子収容溝２０の内側面２０ｂおよび２０ｃと手摺子１４の上端部とが位置的に干渉することはない。
【００２８】
なお、本実施例では、手摺子当接面(底面)２０ａと上側内側面２０ｂとが成す角度βが４５度に設定されており、手摺子当接面(底面)２０ａと下側内側面２０ｃとが成す角度δが９０度に設定されているが、これらの角度は特に限定されるものではない。ただし、一般的な階段１２の傾斜角度α(２５〜５７度)に適用するためには、角度βは、１５〜６０度の範囲内であることが望ましく、「加工性および強度の低下」といった問題を回避するためには、特に、３０〜６０度の範囲内であることが望ましい。一方、角度δは、１５〜１０５度の範囲内であることが望ましく、「加工性、強度および施工性の低下」といった問題を回避するためには、特に、３０〜９０度の範囲内であることが望ましい。
【００２９】
手摺部材１８は、図７に示すように、木質材等の一般的な材料によって形成された棒状部材であり、手摺部材１８の「太さ」は、歩行者が握り易い太さに設定されており、手摺部材１８の「形状」は、歩行者の手が痛くならないように丸みのある形状に設定されている。そして、手摺部材１８の下面には、手摺用長尺部材１６を収容する長尺部材収容溝２２が長手方向全長に亘って形成されている。長尺部材収容溝２２は、手摺用長尺部材１６の上面に当接される長尺部材当接面(底面)２２ａと、手摺用長尺部材１６の側面に対向して配置される左右の内側面２２ｂおよび２２ｃとを有している。
【００３０】
長尺部材収容溝２２の幅は、図３に示すように、開口側端部から奥端部に亘って一定に設定されている。また、長尺部材収容溝２２の深さは、図３に示すように、手摺用長尺部材１６の厚さとほぼ同じに設定されている。したがって、手摺用長尺部材１６の下面と手摺部材１８の下面との間の段差を解消でき、段差による見栄えの悪化を防止できる。
【００３１】
なお、長尺部材収容溝２２の幅は、必ずしも開口側端部から奥端部に亘って一定に設定されている必要はなく、図９に示すように、開口側端部において手摺用長尺部材１６の幅よりもわずかに大きく、かつ、開口側端部から奥側へ向かうにつれて広くなるように設定されていてもよい。この場合には、長尺部材収容溝２２へ手摺用長尺部材１６を容易に収容することができるので、施工性を高めることができる。
【００３２】
階段用手摺１０を構成する手摺子１４、手摺用長尺部材１６および手摺部材１８は、工場において精度よく加工される。したがって、施工現場では、これらの部材を所定の手順で組み立てるだけで、階段用手摺１０を簡単に完成させることができる。以下には、階段用手摺１０の施工方法について説明する。
【００３３】
階段用手摺１０を施工する際には、まず、図８に示すように、（ａ）階段１２の側部に階段１２の傾斜方向へ所定間隔を隔てて上端面が所定角度で傾斜して形成された複数の手摺子１４を立設する。つまり、階段１２を構成する踏板１２ａの取付穴１２ｂに手摺子１４の突部１４ｂを嵌合し、踏板１２ａの下面から突部１４ｂへ向けてビス等の固定金具(図示省略)を打ち込んで踏板１２ａと手摺子１４とを強固に接合する。
【００３４】
続いて、図２に示すように、（ｂ）複数の手摺子１４の上端部に手摺用長尺部材１６の下面に形成された手摺子収容溝２０を嵌合し、（ｃ）手摺用長尺部材１６の上面から手摺子１４へ向けてビス等の固定金具２４を打ち込むことによって、手摺用長尺部材１６と手摺子１４とを接合する。
【００３５】
そして、（ｄ）手摺用長尺部材１６に手摺部材１８の下面に形成された長尺部材収容溝２２を嵌合するとともに、手摺部材１８を手摺用長尺部材１６に接着剤、両面テープまたはビス等を用いて接合する。
【００３６】
階段用手摺１０を傾斜角度αの異なる他の階段１２に適用する場合には、図１０に示すように、上述の手摺用長尺部材１６および手摺部材１８をそのまま用いることができる。この場合でも、手摺子収容溝２０の内側面２０ｂおよび２０ｃと手摺子１４の上端部とが位置的に干渉することはないので、手摺子収容溝２０に対して手摺子１４を確実に嵌め込むことができる。ただし、この場合、手摺子１４については、上端面の傾斜角度が傾斜角度αに適合したものを用いる必要がある。なお、図１０（Ａ）には、階段用手摺１０を傾斜角度αが大きい急勾配の階段１２に適用した場合を示しており、図１０（Ｂ）には、階段用手摺１０を傾斜角度αが小さい緩勾配の階段１２に適用した場合を示している。
【００３７】
なお、上述の実施例では、「手摺子当接面(底面)２０ａと上側内側面２０ｂとが成す角部」および「手摺子当接面(底面)２０ａと下側内側面２０ｃとが成す角部」が角張って形成されているが、これらの角部は、図１１に示すように、丸みを持って形成されてもよい。この場合には、角部に応力集中が生じないので、手摺用長尺部材１６の衝撃に対する強度を高めることができる。
【００３８】
また、手摺用長尺部材１６の手摺子収容溝２０を形成する方法は、特に限定されるものではなく、図１２に示すように、２つの工程からなる方法が用いられてもよい。この方法では、まず、図１２（Ａ）に示すように、汎用の溝加工機（図示省略）を用いて手摺子当接面(底面)２０ａを有する溝２６を形成し、その後、図１２（Ｂ）に示すように、汎用の鋸２８を用いて上側内側面２０ｂおよび下側内側面２０ｃを手摺子当接面(底面)２０ａに対して所定角度β，δで傾斜して形成する。この方法によれば、特殊な溝加工機等を用いることなく、手摺子収容溝２０を高精度で簡単に形成することができる。
【図面の簡単な説明】
【００３９】
【図１】階段用手摺を示す正面図
【図２】階段用手摺を示す分解正面図
【図３】図１におけるIII−III線断面図
【図４】手摺用長尺部材を示す斜視図
【図５】手摺用長尺部材を示す正面図
【図６】手摺子と手摺用長尺部材との接合部を示す正面図
【図７】手摺部材を示す斜視図
【図８】階段に対する手摺子の取付方法を示す斜視図
【図９】手摺部材の変形例を示す断面図
【図１０】傾斜角度αを変更したときの接合部を示す正面図
【図１１】手摺子と手摺用長尺部材との接合部の変形例を示す正面図
【図１２】手摺子収容溝の加工方法を示す工程図
【図１３】従来技術(特許文献１)を示す正面図
【図１４】従来技術(特許文献２)を示す斜視図
【符号の説明】
【００４０】
１０…  階段用手摺
１２…  階段
１４…  手摺子
１６…  手摺用長尺部材
１６ａ…  長尺部材本体
１８…  手摺部材
２０…  手摺子収容溝
２０ａ…  手摺子当接面(底面)
２０ｂ…  上側内側面
２０ｃ…  下側内側面
２２…  長尺部材収容溝
２２ａ…  長尺部材当接面(底面)
２２ｂ，２２ｃ…  内側面
２４…  固定金具
２６…  溝
２８…  鋸
【図１】
2008013975.tif 000003
【図２】
2008013975.tif 000004
【図３】
2008013975.tif 000005
【図４】
2008013975.tif 000006
【図５】
2008013975.tif 000007
【図６】
2008013975.tif 000008
【図７】
2008013975.tif 000009
【図８】
2008013975.tif 000010
【図９】
2008013975.tif 000011
【図１０】
2008013975.tif 000012
【図１１】
2008013975.tif 000013
【図１２】
2008013975.tif 000014
【図１３】
2008013975.tif 000015
【図１４】
2008013975.tif 000016